(57)【要約】      （修正有） 【課題】加工花材の花弁を観賞に適した開度に容易に調節することができ、花弁や花床などを損傷することなく形成することのできる、見栄えのよい加工花材を提供すること。【解決手段】防腐処理が施された生花を用いた加工花材１であって、花床３と、花床３に支持される複数枚の花弁２ａ〜２ｎを有し、複数枚の花弁２ａ〜２ｎの基部間にある前記花床３近傍の間隙に、花弁２の開度を調節するためのクッション部材６ａ〜６ｎを挿入して、花弁２ａ〜２ｎの開度を鑑賞に適した開度に調節した。【選択図】図２
0003108831.tif 000002
【実用新案登録請求の範囲】
【請求項１】
花床と前記花床に支持される複数枚の花弁を有する生花に防腐処理を施した加工花材であって、
前記複数枚の花弁の基部間にある前記花床近傍の間隙に、花弁の開度を調節するためのクッション部材を挿入したことを特徴とする加工花材。
【請求項２】
前記クッション部材は、前記花弁と同系色に染色した脱脂綿であることを特徴とする請求項１に記載の加工花材。
【請求項３】
花床と、前記花床に支持される複数枚の花弁と、前記花弁の外側に位置する萼と、前記萼から下方に延びる茎とを有する生花に防腐処理を施した加工花材であって、
前記複数枚の花弁の基部間にある前記花床近傍の間隙に、花弁の開度を調節させるためのクッション部材を挿入した前記加工花材の、前記花床、前記萼、前記茎の少なくともいずれかに、前記加工花材を固定するためのワイヤーを貫通させて前記固定用ワイヤーの両端を外方へ突出させ、前記加工花材を差し込み固定可能に形成したことを特徴とする請求項１または請求項２に記載の加工花材。
【請求項４】
前記請求項１乃至請求項３のいずれかに記載の加工花材を、容器内に載置した花材固定用のスポンジに差し込み、固定したことを特徴とする装飾用盛り花。
【請求項５】
前記請求項１乃至請求項３のいずれかに記載の加工花材を、装飾用基部材に接着剤により貼着したことを特徴とする加工花材装飾品。
【考案の詳細な説明】
【技術分野】
【０００１】
本考案は、所定の防腐処理が施された生花を用いた加工花材に係り、特に、花弁の開度を所望の角度に調節した加工花材に関する。
【背景技術】
【０００２】
従来より、複数の花を束ねた花束や、複数の花を固定用のスポンジに差し込んで固定したアレンジメントが観賞用、贈答用として用いられている。上記花束やアレンジメントに用いるための花には、生花が用いられることもある。
【０００３】
しかし、近年は、生花のように短期間で枯れてしまうことのないブリザーブドフラワーと呼ばれる保存処理を施した加工花材を用いることも多い。ブリザーブドフラワーは、一般に、生の切花の細胞組織水を脱水した後、ポリエチレングリーコールなどの保存液を浸透させて防腐処理をするとともに、花弁を所望の色に染色、乾燥させて作られる。
【０００４】
このような工程で作られるブリザーブドフラワーと呼ばれる加工花材は、通常、花弁が十分に開ききらない段階の、新鮮で吸い上げのよい切花を選んで処理を施すため、花弁がほとんど開いていない状態で頒布される。
【０００５】
そこで、このように作られる加工花材の花弁の開度を鑑賞に適した角度まで増大させたものとしては、例えば、特許文献１に開示されたものがある。
【０００６】
特許文献１に開示された加工花材は、全ての花弁を花床からいったん取り外した後、この取り外した花弁の基部に接着剤を塗布し、花弁の開度を増大させる方向に向けながら再び花床に貼着したものである。
【０００７】
特許文献１に開示された方法で加工花材を形成することで、鑑賞に適した花弁の開度を有する加工花材を提供することができた。
【０００８】
しかし、特許文献１に開示された加工花材は、複数枚の花弁を花床から取り外し、再び花床に貼着するという非常に煩雑で時間がかかる作業を必要とするものであった。その上、処理を施した花弁は、脆く、繊細にできているので、取り外しと貼着の過程で損傷することがあった。
【０００９】
また、花弁の開度は、接着剤で固定させて増大させるため、一旦、花弁を固定すると、その後さらに花弁の開度を調節することはできなかった。
【特許文献１】特開2003-268617号公報
【考案の開示】
【考案が解決しようとする課題】
【００１０】
本願考案は、上記観点に鑑みてなされたものであって、加工花材の花弁を観賞に適した開度に容易に調節することができ、花弁や花床などを損傷することなく形成することのできる、見栄えのよい加工花材を提供することを目的とする。  
【課題を解決するための手段】
【００１１】
本願考案の構成の第一は、花床と前記花床に支持される複数枚の花弁を有する生花に防腐処理を施した加工花材であって、
前記複数枚の花弁の基部間にある前記花床近傍の間隙に、花弁の開度を調節するためのクッション部材を挿入したことを特徴とする。
【００１２】
本願発明の構成の第二は、前記クッション部材は、前記花弁と同系色に染色した脱脂綿であることを特徴とする。
【００１３】
本願発明の構成の第三は、花床と、前記花床に支持される複数枚の花弁と、前記花弁の外側に位置する萼と、前記萼から下方に延びる茎とを有する生花に防腐処理を施した加工花材であって、
前記複数枚の花弁の基部間にある前記花床近傍の間隙に、花弁の開度を調節させるためのクッション部材を挿入した前記加工花材の、前記花床、前記萼、前記茎の少なくともいずれかに、前記加工花材を固定するためのワイヤーを貫通させて前記固定用ワイヤーの両端を外方へ突出させ、前記加工花材を差し込み固定可能に形成したことを特徴とする。
【００１４】
本願発明の構成の第四は、前記請求項１乃至請求項３のいずれかに記載の加工花材を、容器内に載置した花材固定用のスポンジに差し込み、固定したことを特徴とする。
【００１５】
本願発明の構成の第五は、前記請求項１乃至請求項３のいずれかに記載の加工花材を、装飾用基部材に接着剤により貼着したことを特徴とする。
【考案の効果】
【００１６】
請求項１に関する考案によれば、複数枚の花弁の基部間にある花床近傍の間隙に、花弁の開度を調節するためのクッション部材を挿入することで花弁の間隙が増大し、花弁の開度を調節することができる。従って、簡単に花弁の開度を鑑賞に適した角度とすることができる。特に、花弁を接着剤で固定することがないので、花弁の全体の開き具合を見ながら随時開度の調節が可能である。
【００１７】
また、柔軟性の高い柔らかなクッション部材を挿入すれば、前記花弁や花床を損傷することなく開度を調節することができる。
【００１８】
さらに、加工花材は損傷を防ぐためにも花弁が閉じた状態で搬送することがのぞましいが、花弁が閉じた状態で搬送された加工花材を短時間で容易に鑑賞に適した状態に開花させることができる。
【００１９】
請求項２に関する考案によれば、前記クッション部材を前記花弁と同系色に染色した脱脂綿で形成したことで、前記花弁や花床を損傷することなく開度を調節することができる。さらに、肉厚の薄い花弁間の間隙に、クッション部材を挿入する場合クッション部材の色が花弁外側に透けることがあるが、この場合にもクッション部材の色が目立たないので、見栄えのよい加工花材を提供することができる。
【００２０】
請求項３に関する考案によれば、花床、萼、茎の少なくともいずれかに前記花材固定用のワイヤーを貫通し、前記固定用ワイヤーの両端を外方へ突出させて前記加工花材を差し込み固定可能に形成したことで、加工花材を用いた盛り花の作成において人工花材を固定用スポンジに容易に固定することができる。
【考案を実施するための最良の形態】
【００２１】
本願考案の実施の形態を図１〜図３に則して説明する。図１は、第一の実施の形態を示す加工花材の斜視図、図２は、図１に示す加工花材の縦断面図、図３は、第二の実施の形態を示す加工花材を用いた盛り花（以下加工花材アレンジメントという）の斜視図である。
【００２２】
図１および図２に示す第一の実施の形態において、加工花材１は、例えば、生の切花の細胞組織水を脱水した後、ポリエチレングリーコールなどの保存液を浸透させて防腐処理をするとともに、花弁を、赤、黄、青など所望の色に染色、乾燥させる等の処理を施された、一般に、ブリザーブドフラワーと呼ばれる加工花材である。
【００２３】
加工花材１は、図１に示すように、複数枚の花弁２と、花弁２の基部を支持する花床３と、花床３や花弁２の基部の外側に位置する萼５と、萼５から下方へ延びる茎４などからなっている。
【００２４】
図２に示すように、この加工花材１の複数枚の花弁２ａ〜２ｎの基部間にある花床３近傍の間隙には花弁２の基部にあてがうように、花弁を損傷しない軟らかな素材でできたクッション部材６ａ〜６ｎが挿入されていて花弁２が適度に外方へ開くように花弁２の開度を調節、保持している。
【００２５】
本実施の形態においてクッション部材６は、花弁２の基部に埋もれ、加工花材１を上方から鑑賞したときにも外方からは見えない程度の小さな塊に丸められた脱脂綿からなっている。棒状のクッション部材詰め具８の先端などに適量絡めとられた少量のクッション部材６は、花弁基部２の花床３近傍の間隙に押し込むように挿入されている。特に、クッション部材６は、萼５の高さより低く、花床３寄りに挿入されていることがのぞましい。
【００２６】
具体的には、内側の花弁２ａと２ｂ基部の間隙には、極少量のクッション部材６ａが挿入されており、花弁２ｂと花弁２ｃの間には、花弁２ａ、２ｂ間より若干多く厚みのあるクッション部材６ｂが挿入されていて、最も外側の花弁２ｃ、２ｄ間の間隙にはさらに厚みのあるクッション部材６ｃが挿入されていて、外方の花弁に向かうにつれて順に厚いクッション部材６が挿入されていて最も外側の花弁２ｄは、内方の花弁２ａに比べて開度が増大している。これにより、花弁２は外方へ向かって綺麗に広がって見栄えよくなっている。
【００２７】
尚、加工花材１に用いる花の種類によりクッション部材６の量を適宜調節することがのぞましく、花弁２の開度に動きをつけるために、クッション部材６を挿入しない間隙があってもよいし、外方の花弁２の間の間隙より、内方の花弁２の間の間隙に挿入するクッション部材６の量を多くしてもよい。また、花弁２は、説明を容易にするため4枚としたが、花弁２の枚数はこれに限られるものではない。
【００２８】
さらに、本実施の形態において、クッション部材６は、花弁２と同系色に染色した脱脂綿を適当な大きさに丸めたものを使用している。これにより、クッション部材６により花弁２を損傷することもなく、肉厚の薄い花弁２の間にクッション部材６を挿入し、このクッション部材６が外方へ透けた場合にも外方からクッション部材６が目立つことがない。
【００２９】
尚、クッション部材６の材料は、綿に限られるものではなく、花弁２を損傷することがない程度の柔軟性を有しており、大きさの調節が可能な部材であればよい。
【００３０】
さらに、本実施の形態においては、花弁２の間隙にクッション部材６を挿入して、花弁２の開度を調節した状態の加工花材１の花床３、茎４、萼５のいずれかの部分に、加工花材１固定用のワイヤー７を貫通させて固定用ワイヤー７の両端を外方へ突出させて、後述の加工花材１を用いた加工花材アレンジメント９において加工花材１を固定容易にしている。
【００３１】
例えば、固定用ワイヤー７を加工花材１の花床３に垂直方向に差し込み、この垂直に差し込んだ固定用ワイヤーに交差するように２本のワイヤーを茎４または萼５の横方向から差し込むことで、加工花材１をしっかりと固定することが可能になる。
【００３２】
図３に示す第二の実施の形態において、加工花材アレンジメント９は、加工花材１と、加工花材１盛り付け用の花器１０と、加工花材１固定用の乾燥した固定用スポンジ１１で構成されている。  
【００３３】
花器１０内に載置された固定用スポンジ１１に、第一の実施の形態に示した加工花材１の茎４または、固定用ワイヤー７を差し込んで加工花材１を固定する。さらに固定用ワイヤー７が見えないように加工花材１の基部には、防腐処理を施した葉やコケ１２などを敷き詰めることがのぞましい。このようにアレンジすることで、見栄えがよく美しい加工花材アレンジメント９を提供することができる。
【００３４】
尚、加工花材１を固定する手段は、上述のようにワイヤーにより固定するものに限られるものではない。
【００３５】
即ち、本願発明の第三の実施の形態において、加工花材１の花床３の下部、茎４、顎５のいずれかまたは全てを、発泡スチロール土台や、ブレスレットやブローチ等のアクセサリー基板、靴の甲部分や鞄の側面などの装飾用基部材に、接着剤で貼着して加工花材１を固定することにより、加工花材アレンジメントのみならず、加工花材アクセサリーや、加工花材付き靴など、見栄えよく美しい加工花材装飾品を提供することができる。尚、このように加工花材１を貼着する場合、固定補助材として上記ワイヤーやナイロンモノフィラメント糸を用いてもよい。
【図面の簡単な説明】
【００３６】
【図１】本願考案の第一の実施の形態を示す加工花材の斜視図。
【図２】図１に示す加工花材の縦断面図。
【図３】本願発明の第二の実施の形態を示す加工花材を用いた盛り花の斜視図。
【符号の説明】
【００３７】
１  加工花材
２  花弁
３  花床
４  茎
５  萼
６  クッション部材
７  固定用ワイヤー
８  クッション部材詰め具
９  加工花材アレンジメント
１０  花器
１１  固定用スポンジ
１２  コケ
【図１】
0003108831.tif 000003
【図２】
0003108831.tif 000004
【図３】
0003108831.tif 000005